【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
左右方向にスライド開閉する引戸の戸先の嵌合孔に嵌め込まれ、側壁の先端部にフランジ部分及び前記側壁に弾性爪板部分を有するケースと、このケースに垂直軸を介して回転自在に軸支され、先端部に係止爪を有するラッチと、このラッチの基端部に一体的に設けられ或いは該ラッチと一体成形され、かつ前記ケースの内部空間に位置すると共に、該内部空間の左右の範囲内で操作力によりバネ部材のバネ力に抗して引戸の開く方向に回転しながら位置変位し、かつ前記操作力が解かれると前記バネ部材のバネ力により引戸を拘束方向へ逆回転しながら復帰する引手操作片を備える引戸ラッチ装置であって、
前記ケースを前記戸先に嵌め込む時、前記弾性爪板部分の爪が前記嵌合孔の縁部分に摺接するとこにより該弾性爪板部分が前記内部空間側に弾性変位する一方、前記爪が前記縁部分を通過すると、前記弾性爪板部分が復帰し、この弾性爪板部分の復帰状態をロックするロック片を前記ケースに設けたことを特徴とする引戸ラッチ装置。
【請求項２】
請求項１に於いて、ロック片は１本の垂直バーであり、しかも、該ロック片は前記引手操作片に沿って内部空間に組み込まれたとき、その両端面は、上下の位置で対向する弾性爪板部分の各内面にそれぞれ当接することを特徴とする引戸ラッチ装置。
【請求項３】
請求項１又は請求項２に於いて、ロック片は、その側壁に係合爪片を有し、該係合爪片をケースの内部空間に組み込んだ時、該ケースの引戸を閉じる側の垂直側壁に形成した被係合部に係合することを特徴とする引戸ラッチ装置。
【請求項４】
請求項１に於いて、引手操作片の表面が段差状に形成され、ロック片をケースの内部空間に組み込んだ時、前記引手操作片の段差部分と該ロック片の対向する側壁との間に指を差し込むことができる隙間が存在することを特徴とする引戸ラッチ装置。
【請求項５】
請求項１に於いて、ケースは、窓枠内を左右に移動する引戸の戸先のサッシ式縦框に形成された嵌合孔に嵌め込まれ、また係止爪を有するラッチは、垂直軸まわりに水平回転してサッシ式窓枠を形成する縦枠の表面に配設された錠受の係合部分に係脱することを特徴とする引戸ラッチ装置。
【手続補正２】
【補正対象書類名】明細書
【補正対象項目名】全文
【補正方法】変更
【補正の内容】
【発明の詳細な説明】
【発明の名称】引戸ラッチ装置
【技術分野】
【０００１】
本発明は引戸ラッチ装置に関し、特に、窓枠内を左右に移動する引戸（障子）の戸先の縦框に形成された嵌合孔に嵌め込まれ、その係止爪を有するラッチは、垂直軸まわりに水平回転して窓枠の縦枠の表面に配設された錠受の係合部分に係脱する引戸ラッチ装置に関する。
【背景技術】
【０００２】
特許文献１には、「引戸式キャビネット（１）の引戸ラッチ装置（４）は、左右方向に移動する引戸（３）に、垂直軸（９）まわりに回転可能に設けられたラッチ（７）によって、引戸をキャビネット本体に閉じた状態に拘束するようになっており、ラッチ（７）は、先端部にキャビネット本体（２）に設けた係止孔（６）に係止する係止爪（１０）を備えて左右方向を向く係止片（１１）と、前後方向を向いて引戸（３）から前方に突出する手掛け片（１２）とを有し、かつ係止爪（１０）は、弾性体（１３）によって係止爪（１０）が係止孔（６）に係止可能に回転付勢されている事項」が記載されている。
【０００３】
また特許文献２の図２、図３等には、ハンドル装置の前端フランジ部４を有する本体ケース３の側壁に一対の爪板部６、６を複数本のスリットを介して設け、該本体ケース３を、前記前端フランジ部４を残して開閉部材１の取付孔に嵌め込むこと、及び該本体ケース３を開閉部材１の取付孔に嵌め込む際、前記一対の爪板部６、６が本体ケース３の内部空間側に弾性変位して開閉部材に取付けられることがそれぞれ記載されている（符号は各特許文献のもの）。
【０００４】
しかしながら、これらの特許文献には、本発明の課題や新規構成が記載されていない。なお、特許文献２に記載の開閉部材１は、段落００１２を参照にすると、引戸ではなく、水平方向に回転する扉である。
【先行技術文献】
【特許文献】
【０００５】
【特許文献１】特開平１１−１７２９８２号公報
【特許文献２】特許第４９４２８２９号公報
【発明の概要】
【発明が解決しようとする課題】
【０００６】
本発明の主たる目的は、引戸ラッチ装置のケースを戸先の嵌合孔に差込んでも、弾性係合爪片が破損しない限り、引戸ラッチ装置は戸先の嵌合孔から抜けないことである。次に本発明の目的は、ケースの内部空間にロック片を一度設けると、弾性係合爪片を簡単かつ確実にロックすることができることである。また本発明の目的は、ロック片が引手操作片の操作の邪魔らならない、垂直軸まわりに水平回転してサッシ式窓枠の錠受に適用することができる等である。
【課題を解決するための手段】
【０００７】
本発明の引戸ラッチ装置は、左右方向にスライド開閉する引戸の戸先の嵌合孔に嵌め込まれ、側壁の先端部にフランジ部分及び前記側壁に弾性爪板部分を有するケースと、このケースに垂直軸を介して回転自在に軸支され、先端部に係止爪を有するラッチと、このラッチの基端部に一体的に設けられ或いは該ラッチと一体成形され、かつ前記ケースの内部空間に位置すると共に、該内部空間の左右の範囲内で操作力によりバネ部材のバネ力に抗して引戸の開く方向に回転しながら位置変位し、かつ前記操作力が解かれると前記バネ部材のバネ力により引戸を拘束方向へ逆回転しながら復帰する引手操作片を備える引戸ラッチ装置であって、前記ケースを前記戸先に嵌め込む時、前記弾性爪板部分の爪が前記嵌合孔の縁部分に摺接するとこにより該弾性爪板部分が前記内部空間側に弾性変位する一方、前記爪が前記縁部分を通過すると、前記弾性爪板部分が復帰し、この弾性爪板部分の復帰状態をロックするロック片を前記ケースに設けたことを特徴とする。
【０００８】
上記構成に於いて、ロック片は帯状の１本の垂直バーであり、しかも、該ロック片は前記引手操作片に沿って内部空間に組み込まれたとき、その両端面は、上下の位置で対向する弾性爪板部分の各内面にそれぞれ当接することを特徴とする。またロック片は、その側壁に係合爪片を有し、該係合爪片をケースの内部空間に組み込んだ時、該ケースの引戸を閉じる側の垂直側壁に形成した被係合部に係合することを特徴とする。また引手操作片の表面が段差状に形成され、ロック片をケースの内部空間に組み込んだ時、前記引手操作片の段差部分と該ロック片の対向する側壁との間に指を差し込むことができる隙間が存在することを特徴とする。さらに、ケースは、窓枠内を左右に移動する引戸の戸先のサッシ式縦框に形成された嵌合孔に嵌め込まれ、また係止爪を有するラッチは、垂直軸まわりに水平回転してサッシ式窓枠を形成する縦枠の表面に配設された錠受の係合部分に係脱することを特徴とする。
【発明の効果】
【０００９】
（ａ）請求項１に記載の発明は、引戸ラッチ装置のケースを戸先の嵌合孔にワンタッチ式に容易に嵌め込むことができる。そして、引戸ラッチ装置を戸先に取付けた後、ケースの内部空間に、ロック片を設けたので、弾性係合爪片が破損しない限り、引戸ラッチ装置は戸先の嵌合孔から抜けない。
（ｂ）請求項２に記載の発明は、ロック片は１本の垂直バーであり、しかも、該ロック片は引手操作片に沿って内部空間に組み込まれ、その両端面は上下の位置で対向する弾性爪板部分の各内面にそれぞれ当接するので、一対の弾性係合爪片を簡単かつ確実にロックすることができる。
（ｃ）請求項３に記載の発明は、ロック片の係合爪片がケースの垂直側壁に形成した被係合部に係合するので、ケースの内部空間にロック片を一度嵌め込みむと、ロック片はケースから容易に抜けない。
（ｄ）請求項４に記載の発明は、引手操作片の段差部分とロック片の対向する側壁との間に指を差し込むことができる隙間が存在するので、ロック片が引手操作片の操作の邪魔らならない。
（ｅ）請求項５に記載の発明は、垂直軸まわりに水平回転してサッシ式窓枠の錠受に適用することができる。    
【図面の簡単な説明】
【００１０】
図１乃至図２０は本発明の第１実施形態を示す各説明図である。図２１及び図２２は本発明を構成するロック片の第２実施形態を示す各説明図。
【図１】引戸の戸先の縦框に組み込まれた引戸ラッチ装置の正面視からの概略説明図（一部省略）。
【図２】引戸の戸先の縦框に組み込まれた引戸ラッチ装置（図面左側）とサッシ式窓枠の縦枠内の表面に固定された錠受（図面右側）の平面視からの概略説明図（施錠状態）。
【図３】図２に於いて、引手操作片を手前に垂直軸回りに引き、ラッチの係合爪を錠受（図面右側）の位置調整板の係合孔から解錠した状態の概略説明図。
【図４】主要部の正面視（先端端部）側からの斜視図。
【図５】主要部の背面視（後端部）側からの斜視図。
【図６】ケースの上端部の構成を示す説明図。
【図７】ケースの正面視からの斜視図。
【図８】ケースの平面図。
【図９】ケースの正面図。
【図１０】図９の１０−１０線断面図。
【図１１】図９の１１−１１線断面図。
【図１２】図９の１２−１２線断面図。
【図１３】図９の１３−１３線断面図。
【図１４】主要部の分解斜視図。
【図１５】ロック片の右側視からの斜視図。
【図１６】ロック片の係合爪片の説明図。
【図１７】ロック片の端面の説明図。
【図１８】（ａ）は弾性爪板部分の爪が縦框の嵌合孔の縁部分を通過する前の概略説明図。（ｂ）は弾性爪板部分の爪が縦框の嵌合孔の縁部分を通過した後の概略説明図。
【図１９】（ａ）は引手操作片が、指による操作力が解かれ、バネ部材のバネ力により引戸を拘束方向へ復帰した状態の説明図、（ｂ）は引手操作片が、指による操作力により、バネ部材のバネ力に抗して引戸の開く方向に回転しながら位置変位し、内部空間のロック片用収納空間が開いた状態を示す説明図、（ｃ）はロック片用収納空間にロック片を摘まんで差し込む時の状態を示した説明図。
【図２０】図１８の（ｂ）の状態に於いて、ロック片をケースのロック片用収納空間に完全に差し込み、ロック片の係合爪片がケースの被係合部に係合した状態の説明図。
【発明を実施するための最良の形態】
【００１１】
図１乃至図２０は本発明の第１実施形態を示す各説明図である。まず、図１乃至図３を参照にして、本発明の「引戸ラッチ装置Ｘ」を含む全体の環境を説明する。
【００１２】
（１）環境と基本的構成
１は建具のサッシ型の窓枠（一部省略）で、周知のように、窓枠１は縦枠１ａと横枠とで矩形状に形成されている。２は窓枠１に嵌め込まれた引戸（例えばガラス障子）で、この引戸２は図１の矢印で示す左右方向にスライド開閉する。
Ｘは引戸２の戸先の縦框２ａに縦方向に形成された嵌合孔（取付孔）３に埋設状態に嵌め込まれた縦方向の引戸ラッチ装置Ｘである。この引戸ラッチ装置Ｘは、左右方向にスライド開閉する引戸２の戸先の前記嵌合孔３に嵌め込まれ、後述する側壁の先端部にフランジ部分２８及び前記側壁にスリット３３、３８を介して形成された少なくとも一対の弾性爪板部分３９を有するケース２１と、このケース２１の後端部に垂直軸２２を介して回転自在に軸支され、先端部に係止爪２３ｂを有するラッチ２３と、このラッチ２３の基端部２３ａに一体的に設けられ或いは該ラッチ２３と一体成形され、かつ前記ケース２１の内部空間２４の先端部側に位置すると共に、該内部空間２４の左右の範囲内で、指による操作力により、前記垂直軸２２に巻装したバネ部材２５のバネ力に抗して引戸２の開く方向に位置変位し、前記操作力が解かれると前記バネ部材２５のバネ力により引戸２を拘束する方向へ復帰する引手操作片２６を備えている。
【００１３】
一方、図２及び図３を参照にすると、４は窓枠１の建枠１ａの平面視コ字枠内の表面（内面）５に固定された錠受で、この錠受４は前記表面（内面）５に固着具６を介してその固定板部分７ａが固定された平面視Ｌ型の固定板７と、前記固定板部分７ａの一端部から直交して引戸の開く方向に所定量延在する端板部分７ｂと、この端板部分７ｂの表面（内面）に重合配設された位置調整板８と、この位置調整板８の中央部に形成された傾斜長孔９及び前記端板部分７ｂの中央部に形成された垂直長孔１０に貫通状態に差し込まれた位置決め用第１固定手段１１とから成る。
【００１４】
なお、前記位置決め用第１固定手段１１は、ボルト１１ａとナット１１ｂとから成り、該位置決め用第１固定手段１１の前記垂直長孔１０の上下位置如何によって、前記位置調整板８の左右方向の位置が無段階調整され得る。
【００１５】
ところで、位置調整板８の左端部には縦方向に係止孔１２が形成されており、図２で示すように、引戸２の閉戸時、引戸ラッチ装置Ｘの引手操作片２６から指を離すと、引手操作片２６は、バネ部材２５のバネ力により引戸２を拘束する方向へ復帰することから、前記ラッチ２３も垂直軸２２回りに反時計方向に自動的に回転し、その結果、ラッチ２３の係止爪２３ｂは位置調整板８の係止孔１２に係入する。これに対して、図３で示すように、引戸２を開く際、指を引手操作片２６に掛けながら該引戸を引くように操作するので、引手操作片２６はバネ部材２５のバネ力に抗して前記垂直軸２２回りに時計方向に回転し、その結果、引手操作片２６は引戸２の開く方向に所定量位置変位すると共に、ラッチ２３の係止爪２３ｂは位置調整板８の係止孔１２から抜ける。
【００１６】
このように、実施形態の引戸ラッチ装置Ｘは、引戸式キャビネットやサッシ式窓枠１に左右方向にスライド自在に設けられた引戸（例えば障子）２をケース２１に垂直軸２２を介して該垂直軸まわりに回転可能に設けられた係止片としてのラッチ２３によって、閉鎖状態の引戸２を、例えば窓枠１の錠受４に拘束（図２）し、又は引戸２を開く際、ラッチ２３に一体的に設けられた、或いはラッチ２３と共に一体成形された引手操作片２６を、例えば引戸２を開く際の引き動作と共に解除するものである（図３）。
【００１７】
（２）具体的構成
まず、引戸ラッチ装置Ｘを構成するケース２１から説明する。図４の正面視側の斜視図及び図５の背面視側の斜視図を参照にすると、ケース２１は縦長のブロックの形態をしている。ここで、図４を基準にして縦長ブロックのケース２１の構成を説明する。
２８は先端部に縦長矩形状に周設された段差状のフランジ部分である。このフランジ部分２８は、上方フランジ部分及び下方フランジ部分の略中央部が前後方向に段差状に形成され、該上下の中央段差部分２９，２９を基準にすると、右側のコ字形状フランジ部分２８ａは左側の逆コ字形状フランジ部分２８ｂよりも低い。付言すると左側のフランジ部分２８ｂの方が右側のフランジ部分２８ａよりも手前側に突出している。
【００１８】
３０は右側のフランジ部分と直交して後端まで延在する縦長板状の右側壁で、この右側壁３０の略中央部には後端に至る逆コ字形状の切欠３１が形成され、この切欠３１からはラッチ３５の突出先端部が現れている。３２は右側壁の上端部寄りの部位と下端部寄りの部位にそれぞれ形成された上下一対の溝、孔等の被係合部で、実施形態では四角い係合孔である。これらの被係合部３２には、後述する垂直バー状ロック片の係合爪片が係合する。
【００１９】
３３は右側壁の上端中央部及び下端中央部に対称的に形成された上下一対のスリットで、これらのスリット３３は後述する上下の弾性爪板部分３９を形成するためのものである。
一方、３５は左側フランジ部分と直交して後端まで延在し、その中途部が内側に段差３６となっている左側壁である。
【００２０】
３７は段差状の上フランジ部分と直交して後端まで延在する上壁で、この上壁３７には、前述した右側壁スリットに連続する長・短の複数のスリットで構成された上壁スリット３８を介して弾性爪板部分３９が設けられている。これらの弾性爪板部分３９の端部には、上・下のフランジ部分の内面と若干の間隙を有して対向する複数の爪３９ａが設けられている。各爪３９ａには、縦框１ａの嵌合孔３の縁部分に摺接する不番の傾斜面が形成されている。
【００２１】
前記上壁スリット３８は、例えば、上方フランジ部分に沿って左右方向に形成された第１スリット３８ａと、この第１スリット３８ａの一端と接続するように前後方向に形成された左側壁側の長い第２スリット３８ｂと、前記第１スリット３８ａの他端と接続するように前後方向に形成された右側壁側の短い第３スリット３８ｃと、この短い第３スリット３８ｃと右側壁スリット３３を接続する短い第４スリット３８ｄとから構成されている（図６参照）。
【００２２】
４１は段差状の下方フランジ部分と直交して後端まで延在する下壁で、この下壁４１にも前述した右側壁スリット３３に連続する長・短の複数本のスリットで構成された下壁スリットを介して複数の爪を有する弾性爪板部分が設けられている。なお、下壁スリット及び下方の弾性爪板部分は、上壁スリット等と同一構成なので、重複する説明は割愛する。
図４で示すように、縦長ブロック状のケース２１は、その先端部側に縦長矩形開口の内部空間２４を有し、この内部空間２４に略収容された状態で、かつ該内部空間２４の左右の範囲内（ロック片が組込まれた場合は左右方向に回転できる範囲内）で垂直軸２２回りに回転する縦長の引戸操作片２６と、後述する本発明の要部である、帯状の１本のロック片５１が組込まれている。なお、図４ではバー状のロック片５１はケース２１に嵌め込む前であり、仮想線で示してある。
【００２３】
次に、ケース２１の上壁３７と下壁４１のそれぞれ形成された上下一対の弾性爪板部分３９について説明する。弾性爪板部分３９は、硬質でありながら、その材質自体により、弾性変位及び弾性復帰する機能を有する。実施形態では、上壁３７と下壁４１にスリットを介して形成したことから、区画された弾性板体であり、端部に左右方向に合計２個の傾斜状爪３９ａを有している。また、弾性爪板部分３９の内面の右側壁側の短い第３スリット３８ｃ乃至右側壁スリット３３付近には、ロック片５１の端面に形成した前後方向の筋状嵌合溝と嵌合する小突条３９ｂが形成されている（図７参照）。
【００２４】
図５は主要部の背面視（後端部）側からの斜視図である。この背面視（後端部）を参照にすると、左右・上下の側壁３５、３０、３７、４１及びフランジ部分２８で縦長ブロック状に形成されたケース２１の後端部は、その中央部に前述した左側壁の切欠３１と連通する中央空間４３を有し、この中央空間４３は前述したケースの先端部側の引手操作片２６用の内部空間２４と連通している。そして、中央空間４３を形成する上下の水平軸受け板４４、４４には不番の軸孔が形成され、該対向軸孔を介して垂直軸２２が前記水平軸受け板４４に架設されている。
【００２５】
さらにケース２１の後端部の構造について前記中央空間４３を基準に説明すると、上方の水平軸受け板４４を含む後端開口４５の箱型脚部ａと、下方の水平軸受け板４４を含む後端開口４６の箱型脚部ｂは上下対称に形成されている。
【００２６】
しかして、前記上方の後端開口４５を有する箱型脚部ａは、ケース２１の正面図に表れている上方の水平切欠４７と連通する幅狭の水平開口４８と、右側壁と対向する仕切り板４９によって形成され、かつ引手操作片２６用の内部空間２４及びロック片５１用の被係合部３２とそれぞれ連通する幅狭の垂直開口５０とを有している。なお、下方の後端開口４６を有する箱型脚部ｂの構造も同様なので、重複する説明を割愛する。
【００２７】
図９は縦長ブロック状ケース２１の正面図である。図９を基準図とする各断面図から明らかなように、引手操作片２６用の内部空間２４は、前述した中央空間４３を堺にして、上方の段差状連結板５１と下方の段差状連結板５２で区切られたケースの先端部側である。上方の段差状連結板５１と下方の段差状連結板５２は同一形状であり、これらの段差状連結板５１、５２は、帯状或いは垂直バー状のロック片５１をケース２１の内部に完全に差し込むことができるように、引手操作片２６の右辺に沿って内部空間２４の右側が奥（後端部側）へと深くなっている。
【００２８】
図１４は主要部の分解斜視図である。この図１４に於いて、ケース２１の手前にロックレバーの機能を有する引手操作片２６と、該引手操作片２６の段差状側面をその対向側面で受ける機能を有する垂直バー状のロック片５１、金属製のラッチ２３、バネ部材２５の一例としてのコイル巻きバネと、垂直軸２２、Ｅ−リング２２ａとがそれぞれ描かれている。
【００２９】
しかして、金属製のラッチ２３と合成樹脂製の引手操作片２６とは一体的に設けられている。すなわち、ケース２１の後端部に垂直軸２２を介して回転自在に軸支され、先端部に係止爪２３ｂを有するラッチ２３と、ケース２１の内部空間２４の先端部側に位置すると共に、該内部空間２４の左右の範囲内で、指の操作力によりバネ部材２５のバネ力に抗して引戸２の開く方向に回転しながら位置変位し、前記操作力が解かれると前記バネ部材２５のバネ力により引戸２を拘束方向へ逆回転しながら復帰する引手操作片２６とは材質が異なるものの、一体的に設けられている。もちろん、実施形態によっては、このラッチ２３と、該ラッチ２３の基端部２３ａに腕部分２６ｂ一体的に設けられた引手操作片２６は、合成樹脂成型品として一体成形しても良い。
【００３０】
実施形態では、内部空間２４内に縦方向に略収納された引手操作片２６は、手前側の指掛け部分２６ａと、該指掛け部分２６ａの中央部の背面側にケース２１の中央空間４３内へと連設する上下一対の腕部分２６ｂを有し、前記腕部分２６ｂにラッチ２３の基端部２３ａが一体的に設けられている。
【００３１】
以上のように、縦長ブロック状ケース２１の構造が複雑になっている理由は、本発明は、ケース２１を引戸の戸先（例えば縦框１ａ）の嵌合孔３に嵌め込む時、ケース２１の対向側壁に形成した一対の弾性爪板部分３９の爪３９ａが前記嵌合孔３の縁部分に摺接するとこにより該弾性爪板部分３９が内部空間２４側に弾性変位する一方、前記爪３９ａが前記縁部分を通過すると、前記弾性爪板部分３９が復帰し、この弾性爪板部分３９の復帰状態をロックするために、望ましくは両端面でもって、前記弾性爪板部分３９の内壁面に当接する帯状の１本のロック片５１を前記内部空間２４に組み込むからである。
【００３２】
そこで、図１５乃至図１７を参照にして、合成樹脂材で帯状に形成されたロック片５１の構成について説明する。図１５はロック片５１の右側視からの斜視図、図１６はロック片５１の係合爪片５２の説明図、図１７はロック片５１の端面の説明図である。これらの図から明らかなように、帯状の１本のロック片５１の一側面５１ａの後端面には、上下一対の係合爪片５２が後方に向かって突出形成されている。これらの係合爪片５２は、弾性爪板部分３９と同様に、硬質でありながら、その材質自体により、弾性変位及び弾性復帰する機能を有する。
【００３３】
上記構成の引戸ラッチ装置Ｘは、戸先の縦框１ａの縦方向の嵌合孔３にフランジ部分２８を残して埋設状態に嵌め込まれる。その時、ケース２１の側壁に形成した弾性爪板部分３９が弾性変位及び弾性復帰して戸先の縦框１ａに取付けられる。そこで、図１８（ａ）は弾性爪板部分３９の爪３９ａが縦框１ａの嵌合孔３の縁部分を通過する前の概略説明図、一方、図１８（ｂ）は弾性爪板部分３９の爪３９ａが縦框１ａの嵌合孔３の縁部分を通過した後の概略説明図である。しかしながら、弾性爪板部分３９の爪３９ａが嵌合孔３の縁部分に係合すると言っても、取付け後、引戸ラッチ装置Ｘを手前に強く引っ張ると、前記爪３９ａが変位して或いは破損して引戸ラッチ装置Ｘが戸先から外れる恐れがある。そこで、引戸ラッチ装置Ｘが戸先から容易に外れないようにロック片５１をケース２１の引手操作片の隣に組み込む。
【００３４】
しかして、図１９（ａ）は、引手操作片２６が、指による操作力が解かれ、バネ部材のバネ力により引戸を拘束方向へ復帰した状態の説明図、一方、図１９（ｂ）は引手操作片２６が、指による操作力により、バネ部材２５のバネ力に抗して引戸２の開く方向に回転しながら位置変位し、内部空間２４のロック片用収納空間が開いた状態を示す説明図、そして、図１９（ｃ）は、ロック片用収納空間にロック片５１を摘まんで差し込む時の状態を示した説明図である。図２０で示すように、ロック片５１をケース２１の内部空間２４に位置する引手操作片２６の右側の空間に完全に差込むと、上下一対の係合爪片５２は、ケース２１の被係合部３２に係合する。この時、例えばロック片５１の上下の端面にそれぞれ形成した筋状の嵌合溝５３は、前述した弾性爪板部分３９の内面の突条３９ｂに案内されながら嵌合する。そして、その上下の端面５１ｂは、前記弾性爪板部分３９の内面に面接触状態と成る。
【実施例】
【００３５】
実施形態では、ロック片５１は、帯状の１本の垂直バーであるが、この垂直バーを二分割しても、本発明の目的を達成することができる。この実施形態の場合には、二分割された上下一対のロック片５１が垂直方向に移動しないようにケース２１内に単数又は複数の支持壁を形成し、又はケースの内壁面に形成した複数個の突条と嵌合する複数個の筋状嵌合溝を形成するのが望ましい。なお、ロック片５１が１本の垂直バーである場合、その形態は、棒状体、帯状体等を問わない。付言すると、発明の課題を逸脱しない範囲で、ロック片５１の形態等を任意に変更することができる。
【産業上の利用可能性】
【００３６】
本発明は、錠前や建具の分野で利用することができる。
【符号の説明】
【００３７】
１…窓枠、１ａ…縦枠、２…引戸、３…嵌合孔、４…錠受、２１…ケース、２２…垂直軸、２３…ラッチ、２４…内部空間、２５…バネ部材、２６…引戸操作片、２８…フランジ部分、３０…右側壁、３５…左側壁、３７…上壁、４１…下壁、３９…弾性爪板部分、３９ａ…爪、４３…中央空間、５１ロック片。